(57)【特許請求の範囲】
【請求項１】
回転体に装着した永久磁石に対向して前記回転体の回転を検出する検知素子と、前記検知素子を装着するケースと、前記検知素子の電気的接続を行うコネクタ部とを備え、前記ケースとコネクタ部とを一体に構成し、前記ケースにおいて前記検知素子を装着する開口部側に前記コネクタ部の端子先端を指向させ、前記コネクタ部の端子先端に設けられた溝と、前記ケースにおける前記開口部側に設けられた凹部とを有し、前記開口部側から、前記検知素子を前記凹部に位置決めして取り付けるとともに、前記検知素子の端子を前記溝に嵌合させるようにした回転検出装置。
【請求項２】
ケースは、検知素子の周辺に空間を設け、前記空間に防湿樹脂を充填した請求項１記載の回転検出装置。
【請求項３】
ケースは、開口部を上方にして据え置き可能にした請求項２記載の回転検出装置。
【請求項４】
ケースは、検知素子以外の電子部品を装着するよう構成し、前記電子部品の位置規制をするリブを設けた請求項１記載の回転検出装置。
【請求項５】
ケースは、機器に取付け可能な爪部または穴部を設けた請求項１記載の回転検出装置。
【請求項６】
ケースは、外側稜線に曲面部を設けた請求項１記載の回転検出装置。
【発明の詳細な説明】
【０００１】
【発明の属する技術分野】
本発明は、洗濯機や衣類乾燥機等の回転体の回転を検出する回転検出装置に関するものである。
【０００２】
【従来の技術】
従来、この種の回転検出装置は特許第３１７６９９８号に示されるように、永久磁石（マグネット）の磁極を検知するために、センサーケースの内部に磁気センサを実装した配線基板を収容固定し、これを樹脂で封止して信号電線から出力を取り出すのが一般的である。
【０００３】
【発明が解決しようとする課題】
このような従来の構成では、少ない部品点数にもかかわらず配線基板を必要とするので電気的接合部の点数が増えて信頼性を低下させる上、高価になるという問題があった。
【０００４】
また、封止した樹脂の中から信号電線を取り出す構成となっているために、製造工程で樹脂の注入や硬化を行う際に信号電線が邪魔になって、作業性を低下させ、歩留まりが低かったり工数増によるコストアップになるという問題もあった。
【０００５】
本発明は上記従来の課題を解決するもので、配線基板を必要とせず電気的接合部の点数を抑えて信頼性を向上し、さらに作業性を向上して安価に製造できるようにすることを目的としている。
【０００６】
【課題を解決するための手段】
本発明は上記目的を達成するために、回転体に装着した永久磁石に対向して回転体の回転を検出する検知素子を装着するケースと、検知素子の電気的接続を行うコネクタ部とを一体に構成し、ケースにおいて検知素子を装着する開口部側にコネクタ部の端子先端を指向させ、コネクタ部の端子先端に設けられた溝と、ケースにおける開口部側に設けられた凹部とを有し、開口部側から、検知素子を凹部に位置決めして取り付けるとともに、検知素子の端子を溝に嵌合させるようにしたものである。
【０００７】
これにより、検知素子をケースに設けた凹部と、コネクタ部に一体の端子にはんだ付けすることで位置決めができ、かつ検知素子の電気的接続を行う配線基板を不要とすることができる。また、ケースと一体にコネクタ部を設けているので、信号電線をつけたままで製造作業を行うこともない。これらにより、信頼性と作業性を向上することができ、安価な回転検出装置を得ることができる。
【０００８】
【発明の実施の形態】
本発明の請求項１に記載の発明は、回転体に装着した永久磁石に対向して前記回転体の回転を検出する検知素子と、前記検知素子を装着するケースと、前記検知素子の電気的接続を行うコネクタ部とを備え、前記ケースとコネクタ部とを一体に構成し、前記ケースにおいて前記検知素子を装着する開口部側に前記コネクタ部の端子先端を指向させ、前記コネクタ部の端子先端に設けられた溝と、前記ケースにおける前記開口部側に設けられた凹部とを有し、前記開口部側から、前記検知素子を前記凹部に位置決めして取り付けるとともに、前記検知素子の端子を前記溝に嵌合させるようにしたものであり、検知素子をケースに設けた凹部と、コネクタ部に一体の端子にはんだ付けすることで位置決めができ、かつ検知素子の電気的接続を行う配線基板を不要とすることができる。また、ケースと一体にコネクタ部を設けているので、信号電線をつけたままで製造作業を行うこともない。これらにより、信頼性と作業性を向上することができ、安価な回転検出装置を得ることができる。
【０００９】
また、ケースに検知素子を装着するとき、ケースに設けた凹部に検知素子を当て、コネクタ部の端子の溝に検知素子のリード線を嵌合することで、検知素子の取り付けを容易に行うことができる。
【００１０】
請求項２に記載の発明は、上記請求項１に記載の発明において、ケースは、検知素子の周辺に空間を設け、前記空間に防湿樹脂を充填したものであり、検知素子や電気的接続部を防湿樹脂で充填でき、水しぶきや湿気等の環境下でも安定動作することができる。
【００１１】
請求項３に記載の発明は、上記請求項２に記載の発明において、ケースは、開口部を上方にして据え置き可能にしたものであり、防湿樹脂を充填して硬化する作業を特別な治具を使用しないで行うことができる。
【００１２】
請求項４に記載の発明は、上記請求項１に記載の発明において、ケースは、検知素子以外の電子部品を装着するよう構成し、前記電子部品の位置規制をするリブを設けたものであり、検知素子以外に抵抗器やコンデンサなどを装着するときは、ケースに設けたリブでこれらの電子部品の位置規制を行い、コネクタ部の端子に電気的に接続することができ、電子部品の装着を容易に行うことができる。
【００１３】
請求項５に記載の発明は、上記請求項１に記載の発明において、ケースは、機器に取付け可能な爪部または穴部を設けたものであり、ケースに一体に設けた爪部や穴部を用いて機器に固定することができ、別の支持部材等を用いることなく取り付けができる。
【００１４】
請求項６に記載の発明は、上記請求項１に記載の発明において、ケースは、外側稜線に曲面部を設けたものであり、機器の製造工程などにおいて回転検出装置を機器に取り付けた後に近傍に回転駆動用のゴム製ベルトなどがあるとケースの稜線でベルトなどに傷をいれる恐れがあるため、曲面部を設けることによって保護することができる。
【００１５】
【実施例】
以下、本発明の実施例について、図面を参照しながら説明する。
【００１６】
（実施例１）
図２は、本発明の回転検出装置を具備した衣類乾燥機の要部断面図で、送風ファン（回転体）１はボールベアリング２を介して、軸３に回転自在に取着している。モータ（図示せず）で発生させた動力は、丸ベルト４で伝達し送風ファン１に連結したプーリー５で受けて送風ファン１に回転力として与えている。永久磁石６は送風ファン１の回転軸近傍に配設し、軸３を中心にして送風ファン１やプーリー５と共に回転する。永久磁石６の回転円周の外側に、回転検出装置７を間隙を持って固定している。
【００１７】
この回転検出装置７は、内部にホールＩＣやリードスイッチなどの検知素子８を配している。検知素子８は送風ファン１に配設した永久磁石６に対向して設け、送風ファン１の回転を検知するもので、永久磁石６の回転運動で発生する磁界の変化によって回転検知信号を発生し、この検知信号は嵌合されたコネクタ９に接続される信号電線１０を通して制御装置（図示せず）に入力される。また、回転検出装置７は送風ファン１を覆うケーシング部１１にねじ１２で固定している。
【００１８】
回転検出装置７は、図１に示すように構成しており、ケース１３は検知素子８を装着し、検知素子８の電気的接続を行うコネクタ部１４をケース１３と一体に構成している。また、ケース１３のコネクタ部１４とは反対方向の位置に凹部１５を設け、この凹部１５とコネクタ部１４の端子１６とにより検知素子８を位置決めして取り付け、検知素子８のリード線を端子１６にはんだ付けしている。
【００１９】
端子１６は、コネクタ部１４側の空間と検知素子８を装着した空間１７とを、電気的接続に必要な直線板状の導体を３本独立して貫通しており、端子１６に接合した検知素子８はコネクタ部１４と嵌合するコネクタ９を通して制御装置へ電気的に接続している。
【００２０】
ここで、ケース１３は、図３に示すように、空間１７の開口部を上方にして据え置き可能にし、空間１７に防湿樹脂１８を充填している。また、ケース１３に穴１９を設け、この穴１９を用いて、図２に示すように、送風ファン１を覆うケーシング部１１にねじ１２で固定している。
【００２１】
上記構成において作用を説明する。検知素子８をケース１３に設けた凹部１５と、コネクタ部１４の端子１６にはんだ付けすることで位置決めができ、かつ検知素子８の電気的接続を行う配線基板を不要とすることができる。また、ケース１３に一体でコネクタ部１４を設けているので、信号電線をつけたままで製造作業を行うこともないため、作業性を向上することができる。
【００２２】
また、ケース１３に、検知素子８の周辺に空間１７を設け、この空間１７に防湿樹脂１８を充填しているので、検知素子８や端子１６の通電部を防湿樹脂で充填でき、湿気から隔離されるので、水分による漏れ電流や検知素子８の劣化もなく安定な回転信号を長期にわたって得ることができる。
【００２３】
また、ケース１３は、空間１７の開口部を上方にして据え置き可能にしているので、防湿樹脂１８を充填して硬化する作業を特別な治具を使用しないで行うことができる。
【００２４】
なお、本実施例では、検知素子８をホールＩＣにより構成することで、端子１６は３本の導体で構成しているが、リードスイッチの場合は端子１６は２本の導体でよい。また、検知素子８によっては必要であればで端子１６はこれ以上の複数であってもよい。
【００２５】
また、本実施例では、コネクタ部１４側の空間の開口部と検知素子８を装着した空間１７の開口部は互いに反対方向を向くようにしているが、一方が９０度回転した方向に開口していてもよい。さらに、本実施例では、端子１６は直線板状としているが途中で曲がっていてもよく、形状に関わらず一体の導体であればよい。
【００２６】
また、本実施例では、防湿樹脂１８を検知素子８を装着した空間１７のすべてに充填しているが、空間１７のすべてではなく、検知素子８や端子１６の通電部などの必要最小限の部分に充填しても同様の効果を得ることができる。
【００２７】
また、本実施例では、コネクタ部１４を下方にしているが、コネクタ部１４側の開口部と検知素子８を装着した空間１７の開口部が互いに反対方向を向かず、一方が９０度回転した方向に開口している場合でも、空間１７の開口部を上方にして据え置きできれば、コネクタ部１４は下方でなくてもよい。
【００２８】
（実施例２）
図４に示すように、コネクタ部１４に設けた端子１６ａに溝２０を設け、この溝２０に検知素子８のリード線２１を嵌合するようにしている。他の構成は上記実施例１と同じである。
【００２９】
上記構成において作用を説明する。ケース１３に検知素子８を装着するときは、上記実施例１と同様に、凹部１５に検知素子８を当て、端子１６ａの溝２０に予め整形した検知素子８のリード線２１を嵌合し、接続することができる。このため、検知素子８の取り付けを容易に行うことができる。
【００３０】
なお、本実施例では、検知素子８以外の電子部品も装着するために、同じ端子１６ａに複数の部品リード線を接続しなければならないとき、特に効果がある。
【００３１】
（実施例３）
図５に示すように、コネクタ部１４に設けた端子１６ｂに穴２２を設け、この穴２２に検知素子８のリード線２１を嵌合するようにしている。他の構成は上記実施例１と同じである。
【００３２】
上記構成において作用を説明する。ケース１３に検知素子８を装着するときは、上記実施例１と同様に、凹部１５に検知素子８を当て、端子１６ｂの穴２２に予め整形した検知素子８のリード線２１を挿入し、接続することができる。このため、検知素子８の取り付けを確実に、かつ容易に行うことができる。
【００３３】
（実施例４）
図６に示すように、ケース１３ｃは、コネクタ部１４ｃとは反対方向の位置に凹部１５ｃを設け、この凹部１５ｃに検知素子８を装着するとともに、検知素子８以外の抵抗器やコンデンサなどの電子部品２３を装着するよう構成している。このケース１３ｃに電子部品２３の位置規制をするリブ２４を、電子部品２３の下方に設けている。他の構成は上記実施例１と同じである。
【００３４】
上記構成において作用を説明する。ケース１３ｃに電子部品２３を装着するとき、電子部品２３の位置をリブ２４により安定して支持することができ、容易に装着することができ、端子１６に電子部品２３のリード線をはんだ付けする作業も容易になる。
【００３５】
なお、本実施例では、リブ２４を電子部品２３の下方に配置しているが、電子部品２３の側面や上面でもよく、またこれらの組み合わせでもよい。
【００３６】
（実施例５）
図７に示すように、ケース１３ｄは凹部１５ｄを有し、この凹部１５ｄに検知素子８を装着するとともに爪部２５を一体に設け、この爪部２５により機器の筐体等に相対するように設けた穴（図示せず）に嵌合して固定するよう構成している。また、ケース１３ｄの外側稜線に曲面部２６を設け、角を滑らかにしている。他の構成は上記実施例１と同じである。
【００３７】
上記構成において作用を説明する。ケース１３ｄに一体に設けた爪部２５を用いて、ケース１３ｄを機器に固定することができ、別の支持部材等を用いることなく取り付けができる。
【００３８】
機器の製造工程などにおいて、回転検出装置を機器に取り付けた後に近傍に回転駆動用のゴム製ベルトなどがあると、ケース１３ｄの外側稜線でベルトなどを傷つける恐れがある。これに対し、ケース１３ｄの外側稜線に曲面部２６を設けて角を滑らかにすることによって、ベルトなどを傷つけるのを防ぐことができる。
【００３９】
なお、図１に示すように、ケース１３に穴１９を設け、この穴１９を用いて図２に示すようにケーシング部１１にねじ１２で取り付けるようにしてもよい。
【００４０】
【発明の効果】
以上のように本発明の請求項１に記載の発明によれば、回転体に装着した永久磁石に対向して前記回転体の回転を検出する検知素子と、前記検知素子を装着するケースと、前記検知素子の電気的接続を行うコネクタ部とを備え、前記ケースとコネクタ部とを一体に構成し、前記ケースにおいて前記検知素子を装着する開口部側に前記コネクタ部の端子先端を指向させ、前記コネクタ部の端子先端に設けられた溝と、前記ケースにおける前記開口部側に設けられた凹部とを有し、前記開口部側から、前記検知素子を前記凹部に位置決めして取り付けるとともに、前記検知素子の端子を前記溝に嵌合させるようにしたから、検知素子をケースに設けた凹部と、コネクタ部に一体の端子にはんだ付けすることで位置決めができ、かつ検知素子の電気的接続を行う配線基板を不要とすることができる。また、ケースと一体にコネクタ部を設けているので、信号電線をつけたままで製造作業を行うこともない。これらにより、信頼性と作業性を向上することができ、安価な回転検出装置を得ることができる。
【００４１】
また、ケースに検知素子を装着するとき、ケースに設けた凹部に検知素子を当て、コネクタ部の端子の溝に検知素子のリード線を嵌合することで、検知素子の取り付けを容易に行うことができる。
【００４２】
また、請求項２に記載の発明によれば、ケースは、検知素子の周辺に空間を設け、前記空間に防湿樹脂を充填したから、検知素子や電気的接続部を防湿樹脂で充填でき、水しぶきや湿気等の環境下でも安定動作することができる。
【００４３】
また、請求項３に記載の発明によれば、ケースは、開口部を上方にして据え置き可能にしたから、防湿樹脂を充填して硬化する作業を特別な治具を使用しないで行うことができる。
【００４４】
また、請求項４に記載の発明によれば、ケースは、検知素子以外の電子部品を装着するよう構成し、前記電子部品の位置規制をするリブを設けたから、検知素子以外に抵抗器やコンデンサなどを装着するときは、ケースに設けたリブでこれらの電子部品の位置規制を行い、コネクタ部の端子に電気的に接続することができ、電子部品の装着を容易に行うことができる。
【００４５】
また、請求項５に記載の発明によれば、ケースは、機器に取付け可能な爪部または穴部を設けたから、ケースに一体に設けた爪部や穴部を用いて機器に固定することができ、別の支持部材等を用いることなく取り付けができる。
【００４６】
また、請求項６に記載の発明によれば、ケースは、外側稜線に曲面部を設けたから、機器の製造工程などにおいて回転検出装置を機器に取り付けた後に近傍に回転駆動用のゴム製ベルトなどがあるとケースの稜線でベルトなどに傷をいれる恐れがあるため、曲面部を設けることによって保護することができる。
【図面の簡単な説明】
【図１】  本発明の第１の実施例の回転検出装置の斜視図
【図２】  同回転検出装置を備えた衣類乾燥機の要部断面図
【図３】  同回転検出装置の防湿樹脂を充填した状態の斜視図
【図４】  本発明の第２の実施例の回転検出装置の一部切欠した斜視図
【図５】  本発明の第３の実施例の回転検出装置の一部切欠した斜視図
【図６】  （ａ）本発明の第４の実施例の回転検出装置の断面図
（ｂ）同回転検出装置の側面図
【図７】  本発明の第５の実施例の回転検出装置の側面図
【符号の説明】
１  送風ファン（回転体）
６  永久磁石
８  検知素子
１３  ケース
１４  コネクタ部
１５  凹部
１６  端子
【図１】
0004682492.tif 000002
【図２】
0004682492.tif 000003
【図３】
0004682492.tif 000004
【図４】
0004682492.tif 000005
【図５】
0004682492.tif 000006
【図６】
0004682492.tif 000007
【図７】
0004682492.tif 000008